(57)【要約】【課題】  共振周波数の調節が容易で、品質が高い携帯無線機用アンテナを提供する。【課題解決手段】  携帯無線機用アンテナ１は、収納状態で用いられるヘリカルアンテナ部２と引き出し状態で用いられホイップアンテナ部３とを有する。ホイップアンテナ部３の先端部にヘリカルアンテナ部２が接続される。ヘリカルアンテナ部２は、ホイップアンテナ部３の先端部に挿着される導電性スリーブ１４と、この先端側に導通状態で配設されてアンテナ作用部となるコイルアンテナエレメント１３と、これを一体的に支持する樹脂製のボビン１２と、ボビン１２内に形成された共振周波数調整孔１２ａに挿着されるボビンキャップ２５と、これらを覆う樹脂製のキャップ１１から成る。ボビンキャップ２５はその長さが調整されて共振周波数調整孔１２ａ内に挿着される。【選択図】    図１
2004153862.tif 000002
【特許請求の範囲】
【請求項１】
先端部分にアンテナ収納時に作用するヘリカルアンテナ部を備え、該ヘリカルアンテナ部の基端側に絶縁材から成るジョイント部を介してアンテナ引き出し時に作用するホイップアンテナ部を備えて成る携帯無線機用アンテナにおいて、
上記ヘリカルアンテナ部は、コイルアンテナエレメントと、該コイルアンテナエレメントを支持するボビンと、該コイルアンテナエレメントの基端部に導通する導電性スリーブと、これらを被覆するキャップとから成り、
上記導電性スリーブは上記ジョイント部に挿通され、該導電性スリーブを貫通したジョイント部の先端部分にはねじ部が形成され、該ねじ部に上記ボビンがねじ固定されて成り、
上記ボビンには先端部分に共振周波数調整孔が形成され、該共振周波数調整孔には長さ調整可能なボビンキャップを挿入して成り、
上記キャップは、上記ボビンと上記ボビンキャップと上記導電性スリーブの先端部分とを被覆するように一体形成した樹脂成形部材から成ることを特徴とする携帯無線機用アンテナ。
【請求項２】
上記ボビンキャップは、耐熱性樹脂又はセラミックで形成されることを特徴とする請求項１に記載の携帯無線機用アンテナ。
【発明の詳細な説明】
【技術分野】
【０００１】
本発明は、携帯電話，ＰＨＳ等の移動通信機器端末用装置に代表される携帯無線機に備えられるアンテナであって、携帯無線機の筐体に対して引き出し及び収納自在な携帯無線機用アンテナに関する。
【背景技術】
【０００２】
携帯無線機の筐体に対して引き出し又は収納自在に設けられる携帯無線機用アンテナとしては、無線機の筐体に対して収納された状態で使用するヘリカルアンテナ部がアンテナの先端部分に形成され、そのヘリカルアンテナ部の基端側に絶縁材で形成されたジョイント部を介して、無線機筐体に対して引き出した状態で使用するホイップアンテナ部が形成される構造を成すものが知られている。このような構造の携帯無線機用アンテナの使用方法としては、オペレータは、無線機の筐体に上記のヘリカルアンテナ部のみを突出させたアンテナ収納状態として保持し、ヘリカルアンテナ部によって受信を確認した後に無線機筐体からアンテナを引き出してホイップアンテナ部を作用させるようにしている。
【０００３】
この種の携帯無線機用アンテナとして、図３に示されるものが提案されている（特許文献１参照）。この携帯無線機用アンテナ５０は、図３に示すように、ヘリカルアンテナ部２、ホイップアンテナ部３、ジョイント部４、ホルダ５を有してなる。
【０００４】
ヘリカルアンテナ部２は、携帯無線機用アンテナ５０の先端部分に形成され、コイルアンテナエレメント１３とこれを支持するボビン１２'とコイルアンテナエレメント１３の基端部を接触させてコイルアンテナエレメント１３と無線機本体との導通を図る導電性スリーブ１４及びこれらの部材を覆い保護するキャップ１１'を有してなる。
【０００５】
ホイップアンテナ部３は、内部に弾性を有した金属材料製のロッドアンテナエレメント２１を備え、その外周を弾性且つ可撓性を有する合成樹脂製のチューブ２２で覆い、その基端部にロッドアンテナエレメント２１と無線機本体との導通を図り且つアンテナの無線機筐体からの抜け止めを図るストッパ２３を備えて成る。
【０００６】
ジョイント部４は、ヘリカルアンテナ部２の給電部である導電性スリーブ１４とホイップアンテナ部３のロッドアンテナエレメント２１とを電気的に遮断して、ヘリカルアンテナ部２とホイップアンテナ部３とが各々独立にアンテナとして作用させるために設けられるものであり、同時に、ヘリカルアンテナ部２とホイップアンテナ部３とを機械的に結合するために設けられるものである。したがって、ジョイント部４は絶縁性で高強度の合成樹脂によって形成される。
【０００７】
ホルダ５は上述のような携帯無線機用アンテナ５０を無線機筐体に取り付け、且つ引き出し状態又は収納状態のそれぞれにおいて上記の各アンテナ部と無線機本体との導通を図るために設けられるものである。つまり、携帯無線機用アンテナ５０の収納状態では、ヘリカルアンテナ部２における給電部である導電性スリーブ１４がホルダ５内の導電部材と結合し、また、携帯無線機用アンテナ５０の引き出し状態では、ホイップアンテナ部３の給電部であるストッパ２３がホルダ５内の導電部材と結合する。
【０００８】
そして、ボビン１２'は基端部が導電性スリーブ１４の先端部に機械的に結合されており、ボビン１２に巻き回されたコイルアンテナエレメント１３はその基端部が導電性スリーブ１４に接触している。また、導電性スリーブ１４は、金属製の中空ロッド状部材であって、基端側にジョイント部４を挿入する挿入孔を形成し、この挿入孔の内面にねじ切り加工が施されている。更に、コイルアンテナエレメント１３の外周を覆うキャップ１１'は導電性スリーブ１４の外周にねじ止め固定されている。
【０００９】
そして、ホイップアンテナ部３の先端に対してジョイント部４を一体の樹脂成形によって形成し、このジョイント部４の先端部分に形成されたねじ部に上記導電性スリーブ１４の挿入孔を挿入してねじ止め且つ接着固定している。
【００１０】
【特許文献１】特開２０００−２６１２２７号公報
【発明の開示】
【発明が解決しようとする課題】
【００１１】
この従来の携帯無線機用アンテナにおけるヘリカルアンテナ部のコイルアンテナエレメントは、同じように形成されても様々な形成誤差により共振周波数にバラツキが生じる。このため、ヘリカルアンテナ部を形成する時にコイルアンテナエレメントを装着した段階で、コイルの先端を切断してこの共振周波数の調節を行なう必要がある。この調節作業は非常に煩雑であり、製造効率を低下させる要因となっており、また、高精度の調節が困難であるので製品の品質を高度にすることができない虞があるという問題が生じる。
【００１２】
本発明は、このような問題に鑑みてなされたものであり、共振周波数の調節が容易で、高度の品質を有した携帯無線機用アンテナを提供することを目的とするものである。
【課題を解決するための手段】
【００１３】
請求項１の発明は、先端部分にアンテナ収納時に作用するヘリカルアンテナ部を備え、該ヘリカルアンテナ部の基端側に絶縁材から成るジョイント部を介してアンテナ引き出し時に作用するホイップアンテナ部を備えて成る携帯無線機用アンテナにおいて、ヘリカルアンテナ部は、コイルアンテナエレメントと、該コイルアンテナエレメントを支持するボビンと、該コイルアンテナエレメントの基端部に導通する導電性スリーブと、これらを被覆するキャップとから成り、導電性スリーブはジョイント部に挿通され、該導電性スリーブを貫通したジョイント部の先端部分にはねじ部が形成され、該ねじ部にボビンがねじ固定されて成り、ボビンには先端部分に共振周波数調整孔が形成され、該共振周波数調整孔には長さ調整可能なボビンキャップを挿入して成り、キャップは、ボビンとボビンキャップと導電性スリーブの先端部分とを被覆するように一体形成した樹脂成形部材から成ることを特徴とする。
【００１４】
請求項２の発明は、請求項１に記載の携帯無線機用アンテナにおいて、ボビンキャップは、耐熱性樹脂又はセラミックで形成されることを特徴とする。
【００１５】
請求項１記載の発明によれば、ボビンの先端部分に共振周波数調整孔を形成し、この共振周波数調整孔に長さ調整可能なボビンキャップを挿入することにより、コイルエレメントにおける共振周波数のバラツキ調整が、ボビン装着後であってもボビンに対して着脱できるボビンキャップの長さを調整することによって可能になる。したがって、共振周波数のバラツキ調整が容易になるとともに、製品の品質を高度にすることができる。
【００１６】
請求項２記載の発明によれば、ボビンの先端に挿入されるボビンキャップを耐熱性樹脂又はセラミックで形成することにより、キャップ形成における射出の高熱によってボビンが変形してコイルアンテナエレメントの先端ピッチやコイル径に異常が生じることを防止することができ、製品の高品質化を確保することができる。
【発明の効果】
【００１７】
本発明に係わる携帯無線機用アンテナによれば、ボビンの先端部分に共振周波数調整孔を形成し、この共振周波数調整孔に長さ調整可能なボビンキャップを挿入することで、共振周波数のバラツキ調整がボビンキャップの長さ調整によって可能になり、このバラツキ調整を容易にするとともに、製品の品質を高度にすることができる。
【００１８】
また、ボビンキャップを耐熱性樹脂又はセラミック製にすることで、熱による変形を防止して製品の高品質化を確保することができる。
【発明を実施するための最良の形態】
【００１９】
以下、本発明に係わる携帯無線機用アンテナの好ましい実施の形態を図１及び図２に基づいて説明する。図１は、本発明に係る携帯無線機用アンテナを示す説明図であり、同図（ａ）はその全体図、同図（ｂ）はその先端部の部分断面図である。図１（ａ）及び（ｂ）に示すように、１は携帯無線機用アンテナを示すもので、その基本構造は大半において前述した従来技術と共通し、ヘリカルアンテナ部２、ホイップアンテナ部３、ジョイント部４、ホルダ５から成る。
【００２０】
ヘリカルアンテナ部２は、金属製の円筒部材である導電性スリーブ１４、金属製でアンテナ作用部となるコイルアンテナエレメント１３、このコイルアンテナエレメント１３を支持する樹脂製のボビン１２、ボビン１２内に挿着されるボビンキャップ２５と、これらを覆う樹脂製のキャップ１１から成る。導電性スリーブ１４はジョイント部４の先端から挿入されて後述する所定位置で固定される。導電性スリーブ１４を貫通したジョイント部４の先端部分にはねじ部４ａが形成され、このねじ部４ａにコイルアンテナエレメント１３を支持したボビン１２がねじ固定されている。コイルアンテナエレメント１３の基端部は導電性スリーブ１４のフランジ部１４ａに接触して導電性スリーブ１４との導通を確保している。そして、ボビン１２の外周と導電性スリーブ１４のフランジ部１４ａを含む先端部分とを被覆するように一体形成した樹脂成形部材であるキャップ１１が形成されている。
【００２１】
図２は上記の導電性スリーブ１４単品を示す部分断面図である。同図に示すように、導電性スリーブ１４の先端部外周にはボビン止め部１４ｃ，フランジ部１４ａが形成され、基端側の内面にはストッパ段部１４ｂが形成されている。ここで、内面にはねじ加工等の金属エッジは形成されず、強度面の均一性を確保している。
【００２２】
コイルアンテナエレメント１３を支持するボビン１２の先端部分には、図１（ａ）及び（ｂ）に示すように、コイルアンテナエレメント１３のコイル内に円柱状の共振周波数調整孔１２ａが形成される。そして、この共振周波数調整孔１２ａはボビンキャップ２５が先端側から挿入される。このボビンキャップ２５は、ポリカーボネート等の耐熱性樹脂又はセラミックによって形成される。
【００２３】
このボビンキャップ２５は２つ機能を有し、第１の機能はボビン１２の熱変形防止にある。つまり、ボビン１２の周囲に形成されるキャップ１１の射出形成口はボビン１２の先端側にあることから、射出の高熱でボビン１２が変形を来たし、コイルアンテナエレメント１３におけるコイルの先端ピッチ又はコイル径に異常が生じるおそれがある。したがって、約３００℃以上に耐えられる樹脂又はセラミックで形成されたボビンキャップ２５をボビン１２の先端部分に配設することによって、この問題を解消している。
【００２４】
ボビンキャップ２５の第２の機能は、コイルアンテナエレメント１３の共振周波数調整にある。コイルアンテナエレメント１３は同じように形成しても共振周波数にバラツキが生じる。このため、ボビン１２に共振周波数調整孔１２ａを形成し、これに挿入長さＬを有して長さ調整可能なボビンキャップ２５を挿入して、共振周波数を調整する。そこで、ボビンキャップ２５に円周状に複数個の溝２５ａを形成し、この溝に沿ってボビンキャップ２５の先端を折って除去することにより、挿入長さＬが調整されて、共振周波数の調整が可能になる。なお、挿入長さＬを短くすると共振周波数を高く調整することができる。
【００２５】
ジョイント部４は、高強度の絶縁性合成樹脂で形成され、インサート金具２４が取り付けられたロッドアンテナエレメント２１の先端部とこのロッドアンテナエレメント２１を覆うチューブ２２の先端部とを覆うように形成されている。ホイップアンテナ部３の基端部に設けられるストッパ２３及びホルダ５については、前述した従来技術と同様の部材であることからここでは説明を省略する。
【００２６】
このように構成された携帯無線機用アンテナ１は、以下のようにして製造される。先ず、ホイップアンテナ部３の先端部分に対して、一体の樹脂成形によってジョイント部４を形成する。この際に、ジョイント部４の先端部分にねじ部４ａ，中間部分に導電性スリーブ１４のストッパ段部４ｂを同時に形成する。そして、ジョイント部４に対して導電性スリーブ１４を挿入して導電性スリーブ１４のストッパ段差１４ｂをジョイント部４に形成されたストッパ段差４ｂに当接して位置決めする。
【００２７】
そして、ねじ部４ａにコイルアンテナエレメント１３を挿入し、コイルアンテナエレメント１３をその一端側端部が導電性スリーブ１４のフランジ部１４ａに接触するように設置する。そして、このコイルアンテナエレメント１３を含んで支持するように、ボビン１２を樹脂成形によって形成する。これによって、ボビン１２内にはジョイント部４のねじ部４ａに対応したねじ部が形成される。またボビン１２を樹脂成形する際に、ボビン１２の先端側に共振周波数調整孔１２ａを形成する。
【００２８】
そして、共振周波数調整孔１２ａに長さ調整したボビンキャップ２５を挿着する。そして、ボビン１２と導電性スリーブ１４の先端部分とを被覆するようにキャップ１１を一体樹脂成形する。
【００２９】
このように、本発明に係わる携帯無線機用アンテナ１は、その製造過程において、ボビンキャップ２５の長さ調整による共振周波数調整が行なわれるので、複数の製品を製造した場合、各製品の共振周波数のバラツキを無くすことができ、各製品の品質を高度にすることができる。また、共振周波数の調整はボビンキャップ２５の長さ調整のみであるので、共振周波数のバラツキ調整を容易にすることができる。
【図面の簡単な説明】
【００３０】
【図１】本発明の実施例に係る携帯無線機用アンテナを示す説明図。
【図２】導電性スリーブ単品を示す部分断面図。
【図３】従来の携帯無線機用アンテナを示す説明図。
【符号の説明】
【００３１】
１  携帯無線機用アンテナ
２  ヘリカルアンテナ部
３  ホイップアンテナ部
４  ジョイント部
４ａ  ねじ部
１１  キャップ
１２  ボビン
１２ａ  共振周波数調整孔
１３  コイルアンテナエレメント
１４  導電性スリーブ
２５  ボビンキャップ
【図１】
2004153862.tif 000003
【図２】
2004153862.tif 000004
【図３】
2004153862.tif 000005